(57)【要約】特に容積形ポンプにおいて、可撓性チューブ（１）の押圧を目的とするクランプ（２）の開閉を制御するため、とりわけドア（４）によって閉鎖することができるケース（３）、ケース（３）に装着されたチューブ（１）、ケース（３）に内蔵されチューブ（１）と協調して動作してチューブを圧搾または開放させるクランプ（２）、ドア（４）の開放が行われたときにクランプ（２）を閉塞する手段（４４）を含む。この装置には、さらにドア（４）の閉鎖が行われたときにクランプ（２）を閉塞する手段（４４）を含めてもよい。本発明の安全装置により、チューブ（１）が前記ドアの開放中には常に圧搾されているのみならず、ドアが閉鎖された後には、適切な装置（３１）がクランプ（２）の開放を行わないかぎり、圧搾状態の保持を確保できる。この圧搾装置は全面的に機械的構造であるため、劣悪な供給電源による危険にさらされることはない。【選択図】  図１
2010508876.tif 000002
【特許請求の範囲】
【請求項１】
ドア（４）によって閉鎖可能なケース（３）内に装着された可撓性チューブ（１）の押圧を目的とするクランプ（２）の開閉を制御するための方法であって、
クランプ（２）はケース（３）に内蔵され、チューブ（１）と協調して動作し、そのチューブを圧搾または開放し、ドアの閉鎖が起きたときにはクランプ（２）が閉塞される
ことを特徴とするクランプの開閉制御方法。
【請求項２】
前記ドアの開放が起きたときには、クランプ（２）が閉塞される
請求項１記載のクランプの開閉制御方法。
【請求項３】
いったん前記ドアが閉鎖されたときには、予め設定された操作が行われないかぎり、とりわけ正常性テストが成功裡に実施されないかぎり、クランプ（２）は再開放されない
請求項１または２記載のクランプの開閉制御方法。
【請求項４】
クランプ（２）の再開放と同時にドア（４）の開放が起きた場合には、その再開放が行われない
請求項３記載のクランプの開閉制御方法。
【請求項５】
好ましくは容積形ポンプにおいて、可撓性チューブ（１）の押圧を目的とするクランプ（２）の開閉を制御するための装置であって、
ドア（４）によって閉鎖可能なケース（３）、
ケース（３）内に装着されたチューブ（１）、
ケース（３）に内蔵されチューブ（１）と協調して動作しチューブを圧搾または開放するクランプ（２）、
ドア（４）の閉鎖が行われたときにクランプ（２）を閉塞するための手段（４４）
とを具備していることを特徴とするクランプの開閉制御装置。
【請求項６】
ドア（４）の開放が行われたときにクランプ（２）を閉塞する手段（４４）を具備している
請求項５記載のクランプの開閉制御装置。
【請求項７】
ドア（４）の開放が行われたときにおけるクランプ（２）を閉塞するための手段（４４）と、ドア（４）の閉鎖が行われたときにおけるクランプ（２）を閉塞するための手段（４４）が同一である
請求項５または６記載のクランプの開閉制御装置。
【請求項８】
ドア（４）の開放が行われたときにおけるクランプ（２）を閉塞するための手段（４４）、及び／またはドア（４）の閉鎖が行われたときにおけるクランプ（２）を閉塞するための手段（４４）が、ドア（４）の開閉を行うための手段（４１，４３）によって駆動される
請求項５または７に記載のクランプの開閉制御装置。
【請求項９】
前記ドアの開閉のための手段が、ケース（３）の外部から操作可能なレバー（４１）を含む
請求項８記載のクランプの開閉制御装置。
【請求項１０】
ドア（４）の閉鎖が行われたときにおけるクランプ（２）を閉塞するための手段（４４）、及び／またはドア（４）の開放が行われたときにおけるクランプ（２）を閉塞するための手段（４４）が、ドア（４）の開閉を行うための手段（４１，４３）と協調して動作するカム（４４）を含む
請求項５ないし９のいずれか記載のクランプの開閉制御装置。
【請求項１１】
前記カムがレバー（４１）のスピンドル（４３）と一体である
請求項１０記載のクランプの開閉制御装置。
【請求項１２】
クランプ（２）が固定部材（２１）及び、好ましくは回動運動する可動部材（２２）とからなるスライドクランプから構成され、前記ドアの閉鎖が行われたときにおけるクランプ（２）を閉塞するための前記手段、または前記ドアの開放が行われたときにおけるクランプ（２）を閉塞するための前記手段を、前記スライドクランプの可動部材（２２）が固定部材（２１）に対して滑動運動を起こさせるように構成する
請求項５ないし１１のいずれか記載のクランプの開閉制御装置。
【請求項１３】
ドア（４）が閉鎖された後にクランプ（２）の開放を行うための手段（３１）が具備されている
請求項５ないし１２のいずれか記載のクランプの開閉制御装置。
【請求項１４】
特定の事象が起きたときにクランプ（２）の開放手段（３１）を作動させるための駆動手段（３３）が具備されている
請求項５ないし１３のいずれか記載のクランプの開閉制御装置。
【請求項１５】
システムの正常性テストが実施された後にクランプ（２）の開放手段（３１）を作動させるための駆動手段が具備されている
請求項１４記載のクランプの開閉制御装置。
【請求項１６】
開放手段（３１）が作動したときに前記ドアの開放が行われた場合に、クランプ（２）の前記開放手段を無力化するための機械的ヒューズ（３２）が具備されている
請求項１３ないし１５のいずれか記載のクランプの開閉制御装置。
【請求項１７】
チューブ（１）に接続する容積形ポンプ、好ましくは蠕動ポンプを含み、その容積形ポンプは、好ましくはクランプ（２）の上流側に設置される
請求項５ないし１６のいずれか記載のクランプの開閉制御装置。
【発明の詳細な説明】
【技術分野】
【０００１】
本発明は、ドアにより開閉できるケースに内蔵された可撓性チューブを押圧するためのクランプの開閉を制御するための方法に関する。クランプはケースに内蔵され、チューブと協調して動作してチューブの圧搾または開放を行うものである。
本発明はまた、特に容積形ポンプにおいて、可撓性チューブを圧搾するためのクランプの開閉を制御するための方法に関するものであり、ドアにより開閉できるケース、ケースに内蔵されたチューブ、さらにはケースに内蔵され、チューブと協調して動作してチューブの圧搾または開放を行うクランプを含む。
【背景技術】
【０００２】
輸液の分野において、容積形ポンプを介して薬液源と患者とをつなぐチューブが、流量制御なしに開放されることがあってはならない点はきわめて重要である。
【０００３】
輸液システムは、一般的に、ドアにより開閉できるケースに内蔵された容積形ポンプ及びケースを貫通しポンプを通過する可撓性チューブから構成される。チューブがポンプ内に装着される前に輸液が流れるのを防ぐために、ポンプ下流側にクランプを設置するのが一般的である。このクランプはチューブのポンプへの装着作業のあいだ閉められ、送液開始時に開くことが好ましい。ポンプの上流側にはローラークランプが取り付けられることもある。
【０００４】
こうした状況下で、ドア開放と同時にクランプを閉め、ドア閉鎖と同時にクランプを開くための装置を取り付けることは一般的に行われている。例えば、特許文献１によれば、ポンプケースのドアレバーに連動する装置により滑動式クランプが開閉する。特許文献２でも、同様の原理を、圧縮作動式クランプに連動する形で見ることができる。
【０００５】
しかしながら、この最後の機能は、とりわけチューブがポンプに正しく装着されていないとき、またはポンプに異常があるときは、危険がともなう。このような場合、無制御の輸液が患者に送液される危険性があり、それによって引き起こされるあらゆるリスクも無視できない。
【０００６】
同様に、例えば特許文献３のように、ポンプに電源が投入され、チューブがポンプに装着された状態でチューブを閉める手段を組み込むことにより、システムの正常性制御を目指すポンプシステムもある。クランプの閉塞は、ドアが閉鎖されたときに電気的に行われる。しかし、この方法には多くの難点がある。例えば、ポンプの電源が落ちてしまった場合や、バッテリー出力が微弱すぎた場合や、クランプを閉塞するためのモータが故障してしまった場合には、クランプの閉塞は実行されない。さらに、このシステムでは、ポンプのドアが作動するときに、クランプを選別的に閉塞することができない。
【先行技術文献】
【特許文献】
【０００７】
【特許文献１】ＥＰ  ０  ２３８  ２２７  Ａ２
【特許文献２】ＥＰ  １  ２１８  ０５５  Ａ１
【特許文献３】ＥＰ  １  ０３１  ３５８  Ａ１
【発明の開示】
【発明が解決しようとする課題】
【０００８】
本発明は、上述のタイプの安全方式及び装置を発展させ、バッテリーの状態、ポンプの電源の有無、さらにはポンプ内でのチューブ装着の良し悪しに関係なく、ポンプのドアが閉鎖されたあとでも輸液が流量管理されないままに送液されること防止することを課題とする。
【課題を解決するための手段】
【０００９】
上記課題は、本発明の方式及び装置により達成される。本発明の方式によれば、ドアが閉鎖されたときにクランクが閉塞される。本発明の装置においては、ドアが閉鎖されたときにクランプを閉塞する手段を含む安全システムが示される。この手段は、開放されているクランプを閉塞するとともに、すでに閉塞しているクランプをその状態で保持することを可能にする。これにより、輸液はドアが閉鎖された後には自由に移動することはできなくなる。
【００１０】
本発明の好ましい実施形態では、ドアが開放されたときにクランプも閉塞されるようになっている。このために、制御装置には、ドアの開放時にクランプを閉塞する手段が組み込まれる。
【００１１】
ドアが開放されたときにクランプを閉塞する手段と、ドアが閉鎖されたときにクランプを閉塞する手段とは同一であることが望ましい。したがって、同一の手段をもって、ドアが開放されたときも閉鎖されたときもクランプを閉塞するようにする。
【００１２】
本発明の好ましい実施形態では、ドアが開放されたときにクランプを閉塞する手段、及び／またはドアが閉鎖されたときにクランプを閉塞する手段は、ドアの開閉を行う手段によって作動する。例えば、ドアの開閉を行う手段にケースの外側から操作できるレバーを含めることができる。
【００１３】
簡単な解決方法は、ドアが開放されたときにクランプを閉塞する手段、及び／またはドアが閉鎖されたときにクランプを閉塞する手段を、ドアの開閉手段と協調して動作するカムの形で設計することである。カムはレバーの軸と一体化することが望ましい。
【００１４】
クランプとしては、例えば、一般的にスライドクランプと呼ばれる固定部材と、好ましくは回動式の可動部材とからなる滑動クランプを使用することができる。ドアが開放されたときにクランプを閉塞するか、またはドアが閉鎖されたときにクランプを閉塞する手段は、スライドクランプの可動部材が固定部材に対して滑動移動するように設計する。
【００１５】
ドアが閉鎖されてからクランプを開放する手段を備えることが望ましい。そのために、特定の事象が起きたときに、クランクの開放手段を作動させる駆動手段を組み込むことができる。特定の事象としては、例えば、システムの正常作動テストの実施が挙げられる。
【００１６】
ドアの開放動作中にクランプが開放されるのを避けるために、クランプの開放手段の作動中にドアの開放が惹起された場合、クランプの開放手段を無力化する機械的ヒューズを備えることが望ましい。
【００１７】
本装置は特にチューブに接続された容積形ポンプ、好ましくは蠕動ポンプでの使用をその目的としており、その場合、容積形ポンプはクランプの上流側に設置することが望ましい。
【図面の簡単な説明】
【００１８】
【図１】ドアが閉鎖された瞬間、クランプの閉塞が起きるときのポンプケースを示す横断面図
【図２】ドアが閉鎖され、レバーが離され、クランプが閉塞状態を示す図１記載同様の断面図
【図３】クランプが開放装置によって開くときを示す図１記載同様の断面図
【図４】ドアを開放するために、レバーが引き上げられ、その結果クランプの閉塞が起きるときを示す図１記載同様の断面図
【図５】図３に従ってクランプが開こうとしているときにドアを開放しようとしたために、機械的ヒューズが作動した瞬間を示す図１記載同様の断面図
【図６】クランプの構成要素の分解組立を示す斜視図
【図７】ドアの分解組立を示す斜視図
【図８】別のドアの分解組立を示す斜視図
【図９】作動中の機械的ヒューズを示す断面図
【図１０】作動した機械的ヒューズを示す図９記載同様の断面図
【発明を実施するための最良の形態】
【００１９】
以下に、本発明の実施例を図面を参照して示す。
本発明の装置は基本的に、図示されていない容積形ポンプを通過し、クランプ（２）によって開閉する１本のチューブ（１）から構成される。ポンプ及びクランプ（２）は、ドア（４）によって開閉されるケース（３）に内蔵される。
【００２０】
ここに示す例では、固定部材（２１）及び可動部材（２２）の２つの部分からなるスライドクランプと呼ばれるクランプを使用する。
チューブ（１）は、チューブを円環形状に保持することを主たる機能とするシリンダー状の挿入口（２１１）を挿通する。前記固定部材はケース（３）と一体構造で、不動とする。これに対し、可動部材（２２）は、例えばクランプ（２）の固定部材（２１）に取り付けられたピボット（２２１）を中心に回動する。可動部材（２２）はスリット（２２２）を有し、その先端は拡大部（２２３）へと広がる。スリット（２２２）の幅は、内部に挿入されたチューブ（１）がそこで押しつぶされて平らになるよう決定する。反対に、拡大部（２２３）では、チューブ（１）があらゆる外力から解放されて正常な円環形状を回復し、移送される輸液が内部を流れるようにする。
【００２１】
実際には、チューブは軽く押圧された状態に保たれ、スリット（２２２）への導入が容易に行われるようにする。しかし、拡大部（２２３）は、輸液の流れを阻害しないように十分な幅を確保する。導入部（２２４）は、拡大部（２２３）においてあらゆる外力から解放された状態のチューブをスリット（２２２）の平らな状態へと導入するために設けられている。クランプ（２）の可動部材（２２）は、拡大部（２２３）が前記固定部材の挿入口（２１１）と一直線上に並ぶ開放ポジション、すなわちチューブ（１）が開放されるポジションから、前記固定部材の挿入口（２１１）がスリット（２２２）と一直線上に並ぶ閉塞ポジション、すなわちチューブ（１）が圧搾されるポジションへと回動する。例えば、図１は閉塞ポジションを示し、図３は開放ポジションを示す。
【００２２】
クランプ（２）の閉塞は、ドア（４）に固定された閉鎖手段によって確保される。
ドア（４）には、回動運動によってドア（４）の開閉を行うレバー（４１）が取り付けられる。レバー（４１）を回動させることにより、フック（４２）を回動させる。レバーが押し下げられた状態にあるとき、フック（４２）は図上には示されていないケース（３）の相当する突起物と嵌合し、ドア（４）の誤開放を防止する。レバー（４１）を回動させると、フック（４２）は突起物から離脱しドア（４）を開放させる。このために、前記レバーを取り付けたスピンドル（４３）にフック（４２）も取り付ける。
【００２３】
ドアの開閉に必要なこれらのフック（４２）のほかに、スピンドル（４３）には、カム（４４）が取り付けられる。このカム（４４）もまた、ドア（４）が閉鎖されたときにクランプ（２）の可動部材（２２）の閉塞ポジションへの回動を惹起する回動ポジションと、可動部材（２２）の閉塞ポジションを解除する退避ポジションとのあいだを回動する。回動ポジションにあるカム（４４）は図１、図４、図７及び図８上で、退避ポジションは図２及び図３上でそれぞれ確認することができる。したがって、カム（４４）は、ドアが閉鎖されたときにクランプを閉塞するためと、ドアが開放されたときにクランプを閉塞するための両方で、閉塞の役割を果たしている。同様に、スピンドル（４３）及びレバー（４１）はドア（４）の開閉手段を構成する。
【００２４】
クランプ（２）の開放は、ケース（３）内に取り付けられ、モーター（３３）によって駆動される可動フィンガー（３１）によって行われる。フィンガー（３１）は直線移動し、クランプ（２）の可動部材（２２）のカム（４４）に接する面と反対側の面を押す。これにより、可動部材（２２）は閉塞ポジションから開放ポジションへと回動する。可動フィンガー（３１）はモーター（３３）に連結し、ドアが閉鎖されたあとクランプ（２）の開放を行うための手段を構成する。
【００２５】
以下、本発明による制御装置の機能方法を、図１から図４を参照して説明する。
ドア（４）を閉鎖するためには、レバー（４１）を持ち上げ、フック（４２）を前記閉鎖突起の周囲に回動嵌合させる。レバーを持ち上げることにより、カム（４４）の上下運動が起きる。ドアが閉鎖ポジションへと押されると、上下運動を始めたカムはクランプの可動部材（２２）のスリット（２２２）の背面にあたる面を押す。これにより、可動部材（２２）はピボット（２２１）を中心に回動し、チューブ（１）をスリット（２２２）に押し込む。チューブ（１）は、こうしてスリット内で押しつぶされ、圧搾状態になる。これが図１が示す状態である。
【００２６】
図２に示すように、前記レバーが押し下げられると、カム（４４）及びフック（４３）はそれぞれ退避ポジションにもどる。スリット（２２２）の長さは、可動部材（２２）が外力なしには開放ポジションに戻ることができないように決定される。
【００２７】
この装置は、ドア（４）は閉鎖され、チューブ（１）は圧搾の状態にある。この状態で、例えば、輸液を患者に投与することなく、ポンプの正常性テストを行うことが可能である。テストの結果が良好であれば、フィンガー（３１）を作動させ、クランプ（２）の可動部材（２２）を開放ポジションまで回動させる。レバー（４１）は押し下げられていて、カム（４４）はこの回動運動を妨害しない。これが図３に示す状態である。回動運動が終了すると、フィンガー（３１）は元の位置にもどり、カム（４４）によって起こされる反対方向の回動運動を妨げない。
【００２８】
何らかの理由で、ドアを開放する必要が生じた場合、まずレバー（４１）を回動させることにより、一方ではフック（４３）を回動させて突起物から離脱させ、他方では、カム（４４）を回動させてクランプ（２）の可動部材（２２）の回動を始動させる。これが図４に示す状態である。
【００２９】
ドアが開放されているときには、クランプは閉塞ポジションになければならない。言い換えれば、フィンガー（３１）が可動部材（２２）の開放ポジションへの回動を始動させるために直線移動をしている最中に、何らかの理由でドアが開放された場合には、クランプ（２）の閉塞動作が反対の開放動作に優先しなければならない。
同様に、フィンガー（３１）が押し出している状態でドアが開放された場合には、クランプ（２）はそれでも閉塞されなければならない。このために、モーターとフィンガー（３１）とのあいだに機械的ヒューズ（３２）を介設し、フィンガー（３１）にかかる直線移動のための圧力が公称圧力を上回ったときに作動するようにする。図５はその例を示す。カム（４４）が回動ポジションにあって、可動部材（２２）が開放ポジションにもどるのを妨げていることがわかる。機械的ヒューズ（３２）は、モーターがフィンガー（３１）の直線移動を遂行できなくするという役割を果たしている。
【００３０】
機械的ヒューズ（３２）の機能方法を、図９及び図１０を参照してさらに詳細に説明する。
ヒューズ（３２）には図９に示すとおり、外に向かって半径方向に働くばね（３２３）によって作動位置に固定されるフック（３２１）が取り付けられている。これらのフック（３２１）は通常、フィンガー（３１）に形成されたノッチ（３１１）と噛み合っている。こうして、モーター（３３）が右方向への退避運動を起こすとき、一緒にヒューズ（３２）と、それにともないフック（３２１）が連動し、その先端につけられたストッパー突起（３２２）がノッチ（３２１）の後端（図では左端）を押すことによって、フィンガー（３１）をも後退させる。以上は図４に示すとおりである。
これに対して、モーター（３３）が右方向への直線移動を起こすとき、ヒューズ（３２）と、それにともないフック（３２１）が連動し、フィンガー（３１）のノッチ（３１１）の反対側の端を押すことにより、全体として右側への押し出し運動を起こさせる。図３及び図９が示すとおりである。
【００３１】
図５に示す場合のように、クランプ（２）の可動部材（２２）の回動運動がカム（４４）によって制止された場合、フック（３２１）はこれに屈し、先端のストッパー突起（３２２）の反対側につけられたベベル面（３２４）の効果により、前記ばねの力に抗してヒューズ（３２）の中心部に向かって貫入する。ヒューズは、図５及び図１０に示す状態にある。フィンガー（３１）からなる開放手段は、こうして無力化され、クランプ（２）を開放させることはできない。
【００３２】
同様に、図３に示すように、フィンガー（３１）がまだ押し出された状態にあり、かつクランプ（２）が開放状態にあるときにドアが開放された場合、カム（４４）が回動し、クランプ（２）の可動部材（２２）を閉塞ポジションに押し戻す。クランプ（２）は同時にフィンガー（３１）を押し戻す。モーター（３３）が退避運動状態になく、ヒューズ（３２）は後退できないために、フック（３２１）が屈して、前記ばねの力に抗してヒューズ（３２）の中心部に向かって貫入する。これが図６及び図１０が示す状態である。ヒューズは飛んだ状態である。開放手段（３１）は、ここでも無力化され、クランプ（２）を開放させることはできない。
【００３３】
前記ドアが再度閉鎖され、モーター（３３）が図１に示すように退避状態にもどれば、ヒューズは自動的に回復する。ヒューズが十分に後退すると、ばね（３２３）はフック（３２１）をフィンガー（３１）のノッチ（３１１）に押し込む力を働かせる。
【００３４】
ここに例示した実施例は、回動可能なスリットの中にチューブを押し込むクランプを使用する。スリットが回動運動ではなく直線運動をしてもいいことは言うまでもない。同様に、直線運動にせよ回動運動にせよ相対的に移動可能な２個の止め金具のあいだに、“エスカルゴはさみ”（ピンチクランプの名称でも知られている）を使用することもまったく容易である。
【００３５】
フィンガー（３１）の動きは必ずしも直線移動でなくてもよい。例えば、回動運動でもまったくかまわない。同様に、モーターは手動装置でも、機械的装置でも代用しうる。
【００３６】
本発明の安全装置により、ドアの開放状態でチューブが常に圧搾されるばかりでなく、いったんドアが閉鎖されると、適切な装置によりクランプの開放が行われない限り、チューブの圧搾状態が保持される。この閉塞装置は全面的に機械的構造であるため、劣悪な供給電源による危険にさらされることはない。
【符号の説明】
【００３７】
１  チューブ
２  クランプ
２１  固定部材
２１１  円筒形挿入口
２２  可動部材
２２１  ピボット
２２２  スリット
２２３  拡大部
２２４  導入部
３  ポンプケース
３１  フィンガー
３１１  ノッチ
３２  機械的ヒューズ
３２１  フック
３２２  ストッパー突起
３２３  ばね
３２４  ベベル面
３３  モーター
４  ドア
４１  レバー
４２  フック
４３  レバーの回動軸
４４  カム
【図１】
2010508876.tif 000003
【図２】
2010508876.tif 000004
【図３】
2010508876.tif 000005
【図４】
2010508876.tif 000006
【図５】
2010508876.tif 000007
【図６】
2010508876.tif 000008
【図７】
2010508876.tif 000009
【図８】
2010508876.tif 000010
【図９】
2010508876.tif 000011
【図１０】
2010508876.tif 000012
【国際調査報告】
2010508876.tif 000013
2010508876.tif 000014
2010508876.tif 000015
2010508876.tif 000016